(57)【要約】【課題】個人認証用ＩＣカードのような管理ツールを必要とせず、内蔵されているハードディスクへの情報の記録、再生及び消去といった記録データの管理を、家族全員の使用状況に応じてある程度平等に、かつ、効率よく行う。【解決手段】内蔵のハードディスクに情報を記録するとともに、記録した情報の再生及び消去を制御する制御部１は、ハードディスクの全容量をユーザ数に応じて複数の小容量の領域に区分する領域区分機能と、区分された各領域にアクセスするためのパスワードを設定する設定機能とを備え、ハードディスクへの情報の記録時、パスワードが入力されることによって特定されたハードディスクの特定区分領域に情報を記録するとともに、ハードディスクからの情報の再生時、パスワードが入力されることによって特定されたハードディスクの特定区分領域に記録されている情報の中からユーザによって選択された情報を再生する。【選択図】図１
2008282440.tif 000002
【特許請求の範囲】
【請求項１】
内蔵の記録媒体に情報を記録するとともに、記録した情報の再生及び消去を制御する制御手段と、
前記記録媒体の全容量をユーザ数に応じて複数の小容量の領域に区分する領域区分手段と、
区分された各領域にアクセスするためのパスワードを設定する設定手段とを備え、
前記制御手段は、前記記録媒体への情報の記録時、パスワードが入力されることによって特定された前記記録媒体の特定区分領域に情報を記録するとともに、前記記録媒体からの情報の再生時、パスワードが入力されることによって特定された前記記録媒体の特定区分領域に記録されている情報の中からユーザによって選択された情報を再生することを特徴とする情報記録再生装置。
【請求項２】
前記制御手段は、前記記録媒体への情報の記録時、再生時及び消去時において、入力されたパスワードに対応する区分領域以外の区分領域へのアクセスを禁止することを特徴とする請求項１記載の情報記録再生装置。
【請求項３】
前記各区分領域への記録状況を管理する管理手段をさらに備え、
前記制御手段は、前記管理手段により管理されている各区分領域の記録状況に基づき、予め設定されている所定期間ごとに、各ユーザに割り当てている区分領域の容量を変更することを特徴とする請求項１または請求項２に記載の情報記録再生装置。
【請求項４】
前記制御手段は、前記記録状況に基づく各区分領域の空き容量に基づき、空き容量の少ない区分領域の容量を増加し、空き容量の多い区分領域の容量を減少するように容量変更を行うことを特徴とする請求項３に記載の情報記録再生装置。
【請求項５】
前記制御手段は、前記所定期間の間に各区分領域ごとに記録された情報の積算容量に基づき、積算容量の多い区分領域の容量を増加し、積算容量の少ない区分領域の容量を減少するように容量変更を行うことを特徴とする請求項３に記載の情報記録再生装置。
【請求項６】
前記容量変更の幅が予め設定された一定幅以内に制限されていることを特徴とする請求項３ないし請求項５のいずれかに記載の情報記録再生装置。
【請求項７】
前記区分された複数の区分領域の一つの区分領域は、パスワードの入力なしに記録、再生及び消去が可能な共通区分領域に設定されており、
前記制御手段は、前記記録媒体への情報の記録時、パスワードの入力なしに記録実行指示が入力された場合には、前記共通区分領域に情報を記録することを特徴とする請求１ないし請求項６のいずれかに記載の情報記録再生装置。
【発明の詳細な説明】
【技術分野】
【０００１】
本発明は、内蔵のハードディスクに情報を記録するとともに、記録した情報の再生及び消去を行う情報記録再生装置に関する。
【背景技術】
【０００２】
近時、記録媒体としてハードディスクを内蔵したＤＶＤレコーダ等の情報記録再生装置が各家庭に普及しており、内蔵されているハードディスクの容量も年々増大している。このようなＨＤＤ内蔵型ＤＶＤレコーダにおいて、家庭内の各ユーザ（父、母、長女、長男等）が記録した番組データは、一つのハードディスク内に入り混じった状態で記録されており、フォルダ分け等で分類したとしてもデータ量が膨大であるため、データ管理が大変であった。
【０００３】
例えば、あるユーザが予め記録しておいた番組を再生して視聴しようとした場合、ハードディスクに記録されている全番組の一覧を表示し、その中から所望の番組を選択する必要があり、目的の番組を見つけるのに時間がかかるといった問題があった。また、ハードディスクの空き容量が少なくなってきた場合には、いずれかの番組データを消去して、空き容量を増やしておく必要があるが、この場合でも、操作するユーザが記録した番組についは、すでに視聴済みか否かが分かるので、削除処理等も比較的容易に行うことができる。しかし、別のユーザが記録した番組については、その別のユーザがその番組を既に視聴しているのか否かが分からないため、番組データの消去や整理をスムーズに行うことができないといった問題があった。さらに、あまり他のユーザ（子供等）には視聴させたくない、例えば暴力シーン等が含まれる番組については、個別に視聴制限を設定しなければならないといった不便もあった。
【０００４】
すなわち、これらの問題が発生するのは、従来のＨＤＤ内蔵型ＤＶＤレコーダが、家庭内の各ユーザの記録した番組データを、一つのハードディスク内に入り混じった状態で記録するためであり、ユーザごとのデータ管理が行えないことに起因している。
【０００５】
そこで、このような問題を解決した録画記録再生装置が提案されている（例えば、特許文献１参照）。
【０００６】
特許文献１には、挿入された個人認証用ＩＣカードの個人情報に基づき蓄積型メディアに記録されたコンテンツ（放送番組）のアクセス制限を実現する録画再生装置が開示されている。この録画再生装置は、コンテンツを所定の媒体に蓄積して蓄積型メディアを作成する手段と、この蓄積型メディアにアクセスして所望のコンテンツを再生する手段と、個人認証用カードに記憶されている個人情報により、コンテンツの録画再生を制限する手段とからなる。そして、それぞれ個人認証用ＩＣカードを持つ家族のそれぞれが録画を実行すると、それぞれのサブディレクトリの下にコンテンツが記録されるようになっている。
【特許文献１】特開２００２−３５４４２７号公報
【発明の開示】
【発明が解決しようとする課題】
【０００７】
上記特許文献１によれば、一台の録画再生装置に対し、家族の人数分の個人認証用ＩＣカードを用いて、個々の趣味嗜好に合ったコンテンツを個人ごとに記録することができ、また、記録した個人以外のアクセスを制限することで、記録したコンテンツを保護することができる。しかし、そのためには、各個人が個人認証用ＩＣカードを自己管理する必要があり、この個人認証用ＩＣカードを紛失等した場合には、自らが記録したコンテンツを視聴することができなくなるといった不具合が発生する可能性がある。また、蓄積型メディアへのコンテンツの記録に関しても、各個人ごとに記録可能な容量が割り当てられているわけではないので、例えば父親が多くのコンテンツを録画し、そのために蓄積型メディアの空き容量がほとんど無くなっているような場合には、他のユーザ（例えば子供等）が録画しようとしても録画できないといった事態が発生する可能性がある。つまり、一つの蓄積型メディアを家族全員が使用状況に応じてある程度平等に、かつ、効率よく使用することができないといった問題があった。
【０００８】
本発明はかかる問題点を解決すべく創案されたもので、その目的は、個人認証用ＩＣカードのような管理ツールを必要とせず、内蔵されているハードディスクへの情報の記録、再生及び消去といった記録データの管理を、家族全員の使用状況に応じてある程度平等に、かつ、効率よく行うことのできる情報記録装置を提供することにある。
【課題を解決するための手段】
【０００９】
上記課題を解決するため、本発明の情報記録再生装置は、内蔵の記録媒体に情報を記録するとともに、記録した情報の再生及び消去を制御する制御手段と、前記記録媒体の全容量をユーザ数に応じて複数の小容量の区分領域に区分する領域区分手段と、区分された各領域にアクセスするためのパスワードを設定する設定手段とを備え、前記制御手段は、前記記録媒体への情報の記録時、パスワードが入力されることによって特定された前記記録媒体の特定区分領域に情報を記録するとともに、前記記録媒体からの情報の再生時、パスワードが入力されることによって特定された前記記録媒体の特定区分領域に記録されている情報の中からユーザによって選択された情報を再生することを特徴としている。
【００１０】
すなわち、本発明の情報記録再生装置によれば、まず、領域区分手段により、記録媒体の全容量を、家族の人数分（すなわち、ユーザ数）に応じて複数の小容量の領域に区分する。この区分は、例えばメニュー画面から領域区分の項目を選択することで、モニタ画面に領域区分画面を表示し、その領域区分画面に使用するユーザの人数を入力することにより行う。例えば、内蔵の記録媒体であるハードディスクの全容量が２５０ＧＢ（ギガバイト）であった場合に、使用する人数が４人（例えば、父、母、長女、長男等）と入力された場合、領域区分手段は、この人数に１を足した５で全容量（２５０ＧＢ）を除算し、１つの記録容量が５０ＧＢとなる５つの領域に区分（分割）する。そして、分割した５つの区分領域のうち、４つの区分領域を家族のいずれかに割り当て、残り１つの区分領域を共通の区分領域に割り当てる。そして、上記４つの区分領域についてそれぞれパスワードの入力画面を表示し、各個人がこの入力画面から自己のパスワードを入力して設定することにより、そのパスワードが設定された区分領域が、以後、自己に割り当てられた区分領域（記録可能領域）となる。なお、パスワードが設定された区分領域については、以後、このパスワードを使用するユーザによって設定を解除されない限り、他のユーザによって不測に解除されないようにしておく。また、区分数については、予め上限を設けておき、それ以上は区分できないようにしてもよい。あまり細かく区分すると、逆にその後の管理が煩わしくなるため、一般的には家族の人数分程度に制限するのがよい。
【００１１】
また、本発明の情報記録再生装置によれば、前記制御手段は、前記記録媒体への情報の記録時、再生時及び消去時において、入力されたパスワードに対応する区分領域以外の区分領域へのアクセスを禁止するように構成している。これにより、例えば暴力シーン等が含まれる情報を記録する場合、父親は自己に割り当てられた区分領域にこの情報を記録することで、他の家族（例えば子供等）の視聴を制限することが可能となり、従来の視聴制限機能（パレンタルロック機能）としても利用可能となる。さらに、このように記録情報をユーザごとに個別に管理できるので、視聴したい情報（番組）を検索する場合でも、パスワードによって入力した自己の区分領域の番組情報のみをモニタ画面に表示できるため、検索効率も向上することになる。
【００１２】
このように、１台の情報記録再生装置において、各ユーザが利用可能な容量を予め設定しておくことで、各ユーザは、その容量内において、自己の記録、再生及び消去を管理すればよく、１台の情報記録再生装置を家族全員で平等に、かつ、効率良く管理することが可能となる。
【００１３】
この場合、各ユーザが自己に割り当てられた区分領域をどのように使用するかは、各ユーザによって異なるのが普通である。すなわち、各ユーザによって使用状況が異なる。そのため、各ユーザの利用可能な容量を、例えば上記のように５０ＧＢに固定してしまうと、あるユーザが情報の記録と消去とを頻繁に繰り返した結果、自己に割り当てられている区分領域を常にほぼ満杯状態で使用している一方で、他のユーザは記録や消去をほとんど行わなかったために、自己に割り当てられた区分領域の一部しか使用していない（常に多くの空き容量が存在する）といった状況が発生する可能性がある。このことは、記録媒体全体として見たときの利用効率が低下していることを意味している。
【００１４】
そのため、本発明の情報記録再生装置では、前記各区分領域への記録状況を管理する管理手段をさらに備え、前記制御手段は、前記管理手段により管理されている各区分領域の記録状況に基づき、予め設定されている所定期間（例えば、１か月等）ごとに、各ユーザに割り当てている区分領域の容量を変更するように構成している。
【００１５】
容量変更の一例として、前記制御手段は、前記記録状況に基づく各区分領域の空き容量に基づき、空き容量の少ない区分領域の容量を増加し、空き容量の多い区分領域の容量を減少するように容量変更を行う構成とすることができる。例えば、１か月が経過した時点での各区分領域の空き容量を個別に算出し、その平均値を求める。そして、現時点で実際に記録されている各区分領域の容量に、この平均値の空き容量を加算することで、各区分領域の新たな割り当て容量とする。具体例を挙げて説明すると、例えば１か月が経過した時点で区分領域１の記録済み容量が４０ＧＢ（空き容量１０ＧＢ）、区分領域２の記録済み容量が３５ＧＢ（空き容量１５ＧＢ）、区分領域３の記録済み容量が３０ＧＢ（空き容量２０ＧＢ）、区分領域４の記録済み容量が２５ＧＢ（空き容量２５ＧＢ）であったとすると、その時点での全空き容量の平均値は１７．５（＝（１０＋１５＋２０＋２５）／４）ＧＢとなる。従って、区分領域１の新たな割り当て容量を現在の記録済み容量である４０ＧＢに空き容量の平均値である１７．５ＧＢを足した５７．５ＧＢに変更し、区分領域２の新たな割り当て容量を現在の記録済み容量である３５ＧＢに空き容量の平均値である１７．５ＧＢを足した５２．５ＧＢに変更し、区分領域３の新たな割り当て容量を現在の記録済み容量である３０ＧＢに空き容量の平均値である１７．５ＧＢを足した４７．５ＧＢに変更し、区分領域４の新たな割り当て容量を現在の記録済み容量である２５ＧＢに空き容量の平均値である１７．５ＧＢを足した４２．５ＧＢに変更する。
【００１６】
また、容量変更の他の例として、前記制御手段は、前記所定期間の間に各区分領域ごとに記録された情報の積算容量に基づき、積算容量の多い区分領域の容量を増加し、積算容量の少ない区分領域の容量を減少するように容量変更を行う構成とすることができる。例えば、１か月間の各区分領域への情報の記録量を順次加算してメモリに記憶しておく。そして、１か月が経過した時点で、各区分領域への情報の記録量を比較してその比率を求め、求めた比率となるように記録媒体の全容量を再配分する。具体例を挙げて説明すると、例えば１か月間に、区分領域１については、記録と消去を繰り返して例えば２００ＧＢ分の情報を記録し、区分領域２については、記録と消去を繰り返して例えば１５０ＧＢ分の情報を記録し、区分領域３については、記録と消去を繰り返して例えば１００ＧＢ分の情報を記録し、区分領域４については、記録のみを行って５０ＧＢ分の情報を記録したとすると、１か月間の各区分領域の使用比率は、区分領域１：区分領域２：区分領域３：区分領域４＝２００：１５０：１００：５０＝４：３：２：１となる。ここで、各ユーザに個別に割り当てられる記録媒体の全容量が２００ＧＢ（共通区分領域である５０ＧＢを除く）であった場合には、区分領域１の新たな割り当て容量を最初の５０ＧＢから比率に応じた８０（＝２００×４／１０）ＧＢに変更し、区分領域２の新たな割り当て容量を最初の５０ＧＢから比率に応じた６０（＝２００×３／１０）ＧＢに変更し、区分領域３の新たな割り当て容量を最初の５０ＧＢから比率に応じた４０（＝２００×２／１０）ＧＢに変更し、区分領域４の新たな割り当て容量を最初の５０ＧＢから比率に応じた２０（＝２００×１／１０）ＧＢに変更する。
【００１７】
このように、使用比率に応じてその後の各ユーザの使用できる区分領域の容量を変更することで、各ユーザの実際の使用状況に即した最適な容量を設定することが可能となり、ひいては記録媒体の使用効率も向上させることが可能となる。
【００１８】
一方、上記のように使用比率をそのまま適用して容量変更を行った場合には、各ユーザの使用できる容量に大きな差が生じてしまう可能性がある。そのため、本発明では、前記容量変更の幅を予め設定された一定幅以内に制限するように構成してもよい。例えば、上記の例で言うと、区分領域１の容量が５０ＧＢから８０ＧＢに大幅に増加し、区分領域４の容量が５０ＧＢから２０ＧＢに大幅に減少しており、その差が６０ＧＢとなっている。そのため、このような大きな差にはならないように、例えば変更幅を±２０ＧＢまでに制限するようにしてもよい。すなわち、使用比率が上記の場合であっても、区分領域１の新たな割り当て容量は使用比率に関係なく上限の７０（＝５０＋２０）ＧＢとし、区分領４の新たな割り当て容量も使用比率に関係なく上限の３０（＝５０−２０）ＧＢとする。これにより、各ユーザに割り当てられる区分領域の容量が極端に変更されてしまうことを防止することが可能となる。
【００１９】
なお、本発明では、上記したように、前記区分された複数の領域の一つの領域は、パスワードの入力なしに記録、再生及び消去が可能な共通区分領域に設定されている。前記制御手段は、記録媒体への情報の記録時、パスワードの入力なしに記録実行指示が入力された場合には、この共通区分領域に情報を記録する。このように、家族全員が視聴したい情報を共通区分領域に記録することで、個々のユーザは、自分の視聴したいタイミングで記録されている情報を視聴することが可能となる。
【発明の効果】
【００２０】
本発明の情報記録再生装置は、各ユーザが利用可能な容量を予め設定しておくことで、各ユーザは、その容量内において、自己の記録、再生及び消去を管理すればよく、１台の情報記録再生装置を家族全員で平等に、かつ、効率良く管理することができる。また、記録媒体への情報の記録時、再生時及び消去時において、入力されたパスワードに対応する区分領域以外の区分領域へのアクセスを禁止するように構成しているので、例えば暴力シーン等が含まれる情報を記録する場合、父親は自己に割り当てられた区分領域にこの情報を記録することで、他の家族（例えば子供等）の視聴を制限することが可能となり、従来の視聴制限機能の代替機能として利用することが可能となる。さらに、記録情報をユーザごとに個別に管理できるので、視聴したい情報（番組）を検索する場合でも、パスワードによって入力した自己の区分領域の番組情報のみをモニタ画面に表示できるため、検索効率も向上することになる。さらにまた、使用比率に応じてその後の各ユーザの使用できる容量を変更することで、各ユーザの実際の使用状況に即した最適な容量をその都度設定変更することができ、ひいては記録媒体の使用効率も向上させることができる。
【発明を実施するための最良の形態】
【００２１】
以下、本発明の実施の形態について、図面を参照して説明する。
【００２２】
図１は、本発明の情報記録再生装置の一実施形態であるハードディスクドライブ（ＨＤＤ）内蔵型ＤＶＤレコーダの電気的構成を示すブロック図である。
【００２３】
本実施形態のＨＤＤ内蔵型ＤＶＤレコーダは、制御部１、テレビ番組等の放送信号（番組情報）を受信するアンテナ２に接続されたチューナ３、信号処理部４、記録媒体であるＤＶＤ（ＤｉｇｉｔａｌＶｅｒｓａｔｉｌｅ Ｄｉｓｋ）２０の着脱が可能なディスク読書部５、リモコン１５からのコントロール信号を受信するリモコン受信部６、表示部７、操作部８、内蔵のハードディスクドライブ（ＨＤＤ）９からなり、信号処理部４の出力がテレビジョン受像機（以下、テレビという）３０に接続されている。
【００２４】
制御部１は、ＣＰＵ１ａ、メモリ部１ｂ、及び再生や録画等の時間をカウントするカウンタ１ｃ等から構成されている。メモリ部１ｂは、本コレーダの各種動作プログラムが格納されたＲＯＭ、動作時には種々のデータの一時保存やワークエリアとして働くＲＡＭ等からなる。チューナ３は、アンテナ２で受信した放送信号から映像を含んだアナログの信号を抽出する。信号処理部４は、アナログやデジタルの信号処理回路から構成されている。この信号処理部４は、チューナ３から入力されるアナログの信号をテレビ３０に出力したり、デジタル化した後にＭＰＥＧ２（ＭｏｖｉｎｇＰｉｃｔｕｒｅ Ｅｘｐｅｒｔｓ ＧｒｏｕｐＰｈａｓｅ２）形式等の圧縮されたデータに処理してディスク読書部５や制御部１に出力する。
【００２５】
ディスク読書部５は、ピックアップやピックアップ駆動回路やディスク駆動回路等から構成されている。このディスク読書部５は、信号処理部４から出力されるデータをＤＶＤ２０に記録したり、ＤＶＤ２０に記録されているデータを読み込んで信号処理部４に出力したりする。信号処理部４は、ディスク読書部５から出力されるＤＶＤ２０のデータを再生し、アナログの信号に処理した後テレビ３０に出力する。また、信号処理部４は、ＯＳＤ回路を備えており、制御部１からの制御により、テレビ３０のモニタにメニュー画面や後述する領域区分画面、パスワードの入力画面等の表示を行うようになっている。テレビ３０は信号処理部４から出力されるアナログの信号に基づいてＣＲＴ等のモニタに映像を映し出し、スピーカから音声を出力する。
【００２６】
表示部７は、本レコーダの動作状態等を表示するものであり、ＦＬＤ（蛍光表示管）やＬＥＤランプ等を備えている。操作部８は、本レコーダ本体の前面等に設けられたボタンやスイッチ等を備えた操作パネル部である。
【００２７】
ＨＤＤ９は、金属製の筐体で密閉されており、内部温度を検出するサーミスタ（図示省略）を内蔵している。そして、情報記録時に、サーミスタによる装置内部の検出温度が所定の下限温度以下であった場合、及び所定の上限温度以上であった場合には、一旦記録した情報を再度読み出して記録内容の確認を行う自己診断機能（ライトベリファイ）を実行する機能を備えている。
【００２８】
リモコン１５と操作部８には、再生、録画、早送り、巻戻し、及び停止といった本レコーダの動作を指示するために操作するキーが設けられている。また、録画予約（タイマー録画）を設定するための録画キー等も設けられている。
【００２９】
図２は、リモコン１５のキー配置の構造の一例を示す説明図である。すなわち、リモコン１５には、電源キー１１１、テンキー１１２、メニューキー１１３、録画キー１１４、上下左右キー１１５、決定キー１１６、及びその他の各種機能キー１１７が設けられている。
【００３０】
制御部１は、例えばリモコン１５の電源キー１１１がオンされ、記録先として例えば内蔵のＨＤＤ９が選択されて、録画キー１１４が操作されると、外部からアンテナ２とチューナ３を通じて入力され、信号処理部４で圧縮処理された番組情報のデータを、ＨＤＤ９が内蔵のハードディスク（図示省略）に記録する。このとき、同時再生（すなわち、テレビ３０での視聴）が選択されている場合には、記録と同時に再生し、再生したデータを信号処理部４によって処理した後、テレビ３０に出力する。これにより、録画中のテレビ番組がテレビ３０のモニタに映像として映し出され、スピーカから音声として出力される。
【００３１】
また、制御部１は、リモコン１５の録画キー１１４が操作されたり、予め設定された録画予約の録画開始時刻になると、チューナ３によって受信され、信号処理部４で圧縮処理された番組情報のデータを、ＨＤＤ９のハードディスクに記録して保存する。
【００３２】
また、制御部１は、ＨＤＤ９からＤＶＤ２０へのダビング機能を備えており、ダビングモードの設定に際しては、すぐにダビングを実行する「即実行ダビングモード」、ユーザがダビング実行時間を指定することでダビング予約を行う「時間指定ダビングモード」、本レコーダ側でダビング時間を設定する「オートダビングモード」のいずれかのダビングモードが選択可能となっている。この選択は、リモコン１５のキー操作によって行われるが、このダビング処理は本発明の要部ではないので、ここでは説明を省略する。
【００３３】
また、制御部１は、ＨＤＤ９のハードディスクの全容量をユーザ数に応じて複数の小容量の領域に区分する機能、及び区分された各領域（区分領域）にアクセスするためのパスワードを設定する設定機能を備えている。そして、ハードディスクへの情報の記録時、パスワードが入力されることによって特定されたハードディスクの特定区分領域に情報を記録するとともに、前記ハードディスクからの情報の再生時、パスワードが入力されることによって特定されたハードディスクの特定区分領域に記録されている情報の中からユーザによって選択された情報を再生するようになっている。
【００３４】
さらに、制御部１は、ハードディスクの各区分領域への記録状況を管理する管理機能を備えており、管理している各区分領域の記録状況に基づき、予め設定されている所定期間ごとに、各ユーザに割り当てている区分領域の容量を変更する機能を備えている。
【００３５】
次に上記構成のＨＤＤ内蔵型ＤＶＤレコーダにおいて、ハードディスクに記録する情報をユーザごとに管理する処理について、順を追って説明する。
【００３６】
（１）ハードディスクの容量を区分する処理の説明
本レコーダを購入後、最初に電源をオンすると、テレビ３０のモニタ画面に図示しない領域を区分するための設定画面が表示されるので、ユーザは、その設定画面からハードディスクの記録領域を区分する数をリモコン１５等により入力する。例えば、父、母、長女、長男の４人家族であったとすると、区分する数として「４」を入力する。これにより、制御部１は、ＨＤＤ９を制御して、ハードディスクの全容量を指定された数に応じて均等に区分する。
【００３７】
具体的には、ハードディスクの全容量が２５０ＧＢ（ギガバイト）であった場合に、使用する人数として「４」が入力されているので、この人数「４」に１を足した「５」で全容量（２５０ＧＢ）を除算し、１つの区分の容量が５０ＧＢとなる５つの領域に区分（分割）する。すなわち、分割した５つの区分領域のうち、４つの区分領域を家族のいずれかに割り当て、残り１つの区分領域を共通の区分領域に割り当てる。以上により、ハードディスクの区分分けを終了する。
【００３８】
なお、本実施形態では、このようなハードディスクの区分分けをユーザが最初に行う構成としているが、この区分分けは本レコーダの出荷時点で最初から区分されていてもよい。
【００３９】
（２）ハードディスクに情報を記録する処理の説明
図３は、ハードディスクに情報を記録する場合の基本的な処理の手順を示すフローチャートである。以下、図３に示すフローチャート及び図４に示すテレビ３０の表示画面例を参照して説明する。
【００４０】
本レコーダの電源をオンすると（ステップＳ１）、制御部１は、テレビ３０のモニタ画面に、ユーザ別アカウントが設定されているか否かを問い合わせる画面（図４（ａ）参照）を表示し、ユーザに対してユーザ別アカウントの設定の有無を問い合わせる（ステップＳ２）。
【００４１】
ここで、ユーザがリモコン１５を操作してユーザ別アカウントの設定を選択（すなわち、図４（ａ）に示す画面上で「ＮＯ」を選択）すると（ステップＳ２でＮｏと判断されると）、制御部１は、まず、既に登録されているアカウント数がユーザ制限数に達しているか否か（すなわち、上記のハードディスクの容量区分の処理のところで区分された「４」に達しているか否か）を確認し（ステップＳ３）、ユーザ制限数に達していないことを確認すると（ステップＳ３でＮｏと判断されると）、テレビ３０のモニタ画面に新規ユーザの登録設定画面（図４（ｂ）参照）を表示する（ステップＳ４）。すなわち、空いている区分領域（ここでは「区分領域１」）を表示し、その下に、ユーザＩＤ（アカウント）とパスワードの入力窓を表示する。ユーザは、この画面に従い、各入力窓にユーザＩＤ（例えば、ユーザ「Ａ」等）と自己のパスワード（例えば４桁の数字「１２３４」等）とを入力し、画面下の「ＯＫ」ボタンを選択する（ステップＳ５）。これにより、ハードディスクの「区分領域１」を利用するためのユーザアカウントとパスワードとが設定される（ステップＳ６）。なお、パスワードが設定された区分領域については、以後、このパスワードを使用するユーザによってパスワードの設定を解除されない限り、他のユーザによって不測に解除されないようにしておくことは当然である。
【００４２】
一方、ステップＳ２においてユーザ別アカウントの設定を選択した段階で、ユーザ数の上限である４つのアカウントが既に設定されていた場合（ステップＳ３でＹｅｓと判断された場合）には、制御部１は、その旨をテレビ３０のモニタ画面に表示して（ステップＳ７）、処理を終了することになる。
【００４３】
一方、図４（ａ）に示すユーザ別アカウントの設定を問い合わせる画面において、ユーザが既に設定されているアカウントを選択するために、画面上の「ＹＥＳ」を選択した場合（ステップＳ２でＹｅｓと判断された場合）には、図示しないユーザ別アカウント選択画面がテレビ３０のモニタ画面に表示されるので（ステップＳ８）、ユーザは、その画面から自己のアカウント（例えば「ユーザ「Ａ」）を選択する（ステップＳ９）。これにより、テレビ３０のモニタ画面には、図４（ｃ）に示すパスワード認証画面が表示されるので（ステップＳ１０）、ユーザは、ここに自己のパスワード（例えば「１２３４」）を入力し、画面下の「ＯＫ」ボタンを操作する（ステップＳ１１）。制御部１は、入力されたパスワードが、ユーザ「Ａ」に対して設定されたパスワードであるか否かを確認し（ステップＳ１２）、パスワードが一致した場合（ステップＳ１２でＹｅｓと判断された場合）には、ユーザ「Ａ」のアカウントでその後の処理を実行する（ステップＳ１３）。
【００４４】
すなわち、その後の処理が番組の記録（手動による録画や録画予約等）である場合には、その番組をハードディスクの「区分領域１」に記録（録画）する。また、その後の処理が再生である場合には、「区分領域１」に既に記録されている全情報のリストをテレビ３０のモニタ画面に表示し、ユーザがその中から所望の情報を選択すると、その選択された情報を再生する。また、その後の処理が情報の消去である場合には、その情報を「区分領域１」から消去する。さらに、その後の処理が「区分領域１」から共通区分領域である「区分領域５」への移動である場合には、その情報を「区分領域１」から「区分領域５」へ移動する。すなわち、その情報については、家族の誰もが視聴可能となる。
【００４５】
このように、本実施形態のＨＤＤ内蔵型ＤＶＤレコーダでは、番組の記録や再生、消去等の処理が、各ユーザに割り当てられたハードディスクの区分領域ごとに行われるため、ユーザは、自己に割り当てられたハードディスクの容量（この例では、５０ＧＢ）の範囲内で自己管理により情報の記録、再生、消去を行うことになる。また、ハードディスクへの情報の記録や再生、消去を行う場合に、ユーザアカウントの選択と、パスワードの入力とが必要であるため、例えば子供が父親のユーザアカウントを選択して、父親の記録している情報を視聴しようとしても、パスワードが分からない限り視聴することができないようになっている。従って、暴力シーン等が含まれている情報を例えば父親に割り当てられた区分領域に記録しておくことで、子供の視聴を制限することができる。また、記録した情報から所望の情報を検索する場合でも、自己に割り当てられた区分領域に記録されている情報のみの検索で良いため、検索時間も短縮することが可能となる。
【００４６】
このように、１台のＨＤＤ内蔵型ＤＶＤレコーダにおいて、各ユーザが利用可能なハードディスクの容量を予め設定しておくことで、各ユーザは、その容量内において、自己の記録、再生及び消去を管理すればよく、１台のＨＤＤ内蔵型ＤＶＤレコーダを家族全員で平等に、かつ、効率良く管理することが可能となる。
【００４７】
（３）ハードディスクの区分領域の容量を変更する処理の説明
ところで、各ユーザが自己に割り当てられた区分領域をどのように使用するかは、各ユーザによって異なる。すなわち、各ユーザによって使用状況が異なる。そのため、各ユーザの利用可能な容量を、例えば上記のように５０ＧＢに固定してしまうと、あるユーザが情報の記録と消去とを頻繁に繰り返した結果、自己に割り当てられている区分領域を常にほぼ満杯状態で効率良く使用している一方で、他のユーザは記録や消去をほとんど行わなかったために、自己に割り当てられた区分領域の一部しか使用していない（常に多くの空き容量が存在する）といった状況が発生する可能性がある。このことは、ハードディスク全体として見たときの利用効率が低下していることを意味している。
【００４８】
そのため、本実施形態のＨＤＤ内蔵型ＤＶＤレコーダでは、各区分領域への記録状況を制御部１で管理し、各区分領域の記録状況に基づいて、予め設定されている所定期間（例えば、１か月等）ごとに、各ユーザに割り当てている各区分領域の容量を変更するように構成している。
【００４９】
以下、この容量変更処理について具体的に説明する。
【００５０】
＜具体例１＞
容量変更の具体例１では、記録状況に基づく各区分領域の空き容量に基づき、空き容量の少ない区分領域の容量を増加し、空き容量の多い区分領域の容量を減少するように容量変更を行う構成としている。
【００５１】
すなわち、１か月が経過した時点での各区分領域の空き容量を個別に算出し、その平均値を求める。そして、現時点で実際に記録されている各区分領域の容量に、この平均値の空き容量を加算することで、各区分領域の新たな割り当て容量として設定する。
【００５２】
具体的に説明すると、図５の上段に示すように、例えば１か月が経過した時点で区分領域１の記録済み容量が４０ＧＢ（空き容量１０ＧＢ）、区分領域２の記録済み容量が３５ＧＢ（空き容量１５ＧＢ）、区分領域３の記録済み容量が３０ＧＢ（空き容量２０ＧＢ）、区分領域４の記録済み容量が２５ＧＢ（空き容量２５ＧＢ）であったとすると、その時点での全空き容量の平均値は１７．５（＝（１０＋１５＋２０＋２５）／４）ＧＢとなる。従って、図５の下段に示すように、区分領域１の新たな割り当て容量を、現在の記録済み容量である４０ＧＢに空き容量の平均値である１７．５ＧＢを足した５７．５ＧＢに変更し、区分領域２の新たな割り当て容量を、現在の記録済み容量である３５ＧＢに空き容量の平均値である１７．５ＧＢを足した５２．５ＧＢに変更し、区分領域３の新たな割り当て容量を、現在の記録済み容量である３０ＧＢに空き容量の平均値である１７．５ＧＢを足した４７．５ＧＢに変更し、区分領域４の新たな割り当て容量を、現在の記録済み容量である２５ＧＢに空き容量の平均値である１７．５ＧＢを足した４２．５ＧＢに変更する。
【００５３】
その結果、例えば区分領域１について見ると、容量変更前は記録可能な空き容量が１０ＧＢであったのが、容量変更後は１７．５ＧＢに増えている。そのため、例えば１５ＧＢの情報を新たに記録する場合に、容量変更前であれば区分領域１に記録されている何れかの情報を消去して少なくとも２．５ＧＢ分の空き容量を新たに確保する必要があったが、容量変更を自動的に行った結果、新たな空き容量を確保しなくても、１５ＧＢ分の情報を記録することが可能となる。すなわち、割り当てられた区画領域をよく利用するユーザにとっては、その使用状況に応じて自分に割り当てられた区画領域の容量が増加するため、新たな情報を記録する場合に、既に記録されている何れかの情報を削除して記録容量を確保するといった削除処理の回数を減らすことができるため、ユーザにとって使い勝手のよいものとなる。
【００５４】
このように、各区画領域の空き容量に応じてその後の各ユーザの使用できる区分領域の容量を変更することで、各ユーザの実際の使用状況に即した最適な容量を設定することが可能となり、ひいてはハードディスクの使用効率も向上させることが可能となる。
【００５５】
＜具体例２＞
容量変更の具体例では、所定期間（例えば、１か月等）の間に各区分領域ごとに記録された情報の積算容量に基づき、積算容量の多い区分領域の容量を増加し、積算容量の少ない区分領域の容量を減少するように容量変更を行う構成としている。
【００５６】
すなわち、１か月間の各区分領域１〜４への情報の記録量を順次加算してメモリ部１ｂの所定の領域に記憶しておく。そして、１か月が経過した時点で、各区分領域１〜４への情報の記録量を比較してその比率を求め、求めた比率となるようにハードディスクの全容量を再配分する。
【００５７】
具体的に説明すると、図６の上段に示すように、例えば１か月間に、区分領域１については、記録と消去を繰り返して例えば２００ＧＢ分の情報を記録し、区分領域２については、記録と消去を繰り返して例えば１５０ＧＢ分の情報を記録し、区分領域３については、記録と消去を繰り返して例えば１００ＧＢ分の情報を記録し、区分領域４については、記録のみを行って５０ＧＢ分の情報を記録したとすると、１か月間の各区分領域１〜４の使用比率は、区分領域１：区分領域２：区分領域３：区分領域４＝２００：１５０：１００：５０＝４：３：２：１となる。ここで、各ユーザに個別に割り当てられるハードディスクの全容量は２００ＧＢ（共通区分領域である５０ＧＢを除く）であるので、図７の下段に示すように、区分領域１の新たな割り当て容量を、最初の５０ＧＢから比率に応じた８０（＝２００×４／１０）ＧＢに変更し、区分領域２の新たな割り当て容量を、最初の５０ＧＢから比率に応じた６０（＝２００×３／１０）ＧＢに変更し、区分領域３の新たな割り当て容量を、最初の５０ＧＢから比率に応じた４０（＝２００×２／１０）ＧＢに変更し、区分領域４の新たな割り当て容量を、最初の５０ＧＢから比率に応じた２０（＝２００×１／１０）ＧＢに変更する。
【００５８】
このように、使用比率に応じてその後の各ユーザの使用できる区分領域の容量を変更することで、各ユーザの実際の使用状況に即した最適な容量を設定することが可能となり、ひいてはハードディスクの使用効率を向上させることが可能となる。
【００５９】
ただし、本具体例２の手法による容量変更は、過去の使用比率のみに基づいて行っており、容量変更時点でのハードディスクの情報の記録状態を考慮していない。そのため、変更後の容量分を使用できるか否かは、その時点でハードディスクにどの程度の情報が記録されているか（逆に言えば、どの程度の空き容量が存在しているか）によることになる。
【００６０】
例えば、区分領域１のユーザにとっては、それまでの５０ＧＢから８０ＧＢに増加しているので、新たに３０ＧＢ分を記録できるように見えるが、その時点でハードディスクの空き容量がほとんど無かった場合には、物理的に記録することが不可能である。この場合には、例えば区分領域４にその時点で５０ＧＢ分の情報が記録されていたとすると、この区分領域４のユーザが区分領域４の記録済みの情報を整理し、不要な情報を消去しない限り、区分領域１のユーザの使用可能容量が実質的に増えることはない。
【００６１】
このとき、区分領域４のユーザが、例えば３５ＧＢ分の情報を削除したとすると、その時点で記録済み容量が１５ＧＢとなり、これは容量変更後の新たな割り当て容量である２０ＧＢ以下になるので、区分領域４のユーザに対しては、この時点から変更後の割り当て容量の上限が２０ＧＢに実質的に制限されることになる。また、区分領域１のユーザは、この時点で新たな割り当て容量である８０ＧＢが実質的に確保されることになる。
【００６２】
このように、本具体例２による容量変更の手法を適用した場合には、その時点でのハードディスクの記録状態によって、変更後の割り当て容量がすぐに適用できる場合と、すぐには適用できない場合とが発生する。
【００６３】
そのため、本具体例２を適用した場合には、容量変更が行われたことをユーザに通知するようにしてもよい。この通知方法としては、例えば本レコーダの電源をオンし、図４（ａ）の画面から「ＹＥＳ」を選択し、さらにユーザ別アカウント選択画面から自己のアカウントすると、テレビ３０のモニタ画面には図４（ｃ）に示すパスワード認証画面が表示されるので、このパスワード認証画面の隅にそのユーザの割り当て容量を図形若しくは数値等によって、その都度表示するようにすればよい。これにより、ユーザは、自己の区分領域に対して情報の記録や消去等を行うときに、自己の区分領域の現在の割り当て容量を確認することができる。また、このときに、割り当て容量が増加しているにも関わらず、上記のような理由によりすぐには利用できない状況である場合には、その旨のメッセージも併せて表示すればよい。これにより、ユーザは、自己の割り当て容量一杯まで記録ができなくても、他のユーザが記録を消去したときには、割り当てられた容量まで使用できることがわかるので、そのような状況になるまで待つことができる。なお、このような表示は、上記具体例１の場合も行うのが良い。
【００６４】
一方、上記具体例２のように、使用比率をそのまま適用した場合には、各ユーザの使用できる容量に大きな差が生じてしまう可能性がある。そのため、本実施形態では、容量変更の幅を予め設定された一定幅以内に制限するように構成してもよい。例えば、上記の具体例２では、区分領域１の容量が５０ＧＢから８０ＧＢに大幅に増加し、区分領域４の容量が５０ＧＢから２０ＧＢに大幅に減少しており、その差が６０ＧＢとなっている。そのため、このような大きな差にはならないように、例えば変更幅を±２０ＧＢまでに制限するようにしてもよい。すなわち、使用比率が上記のように、区分領域１：区分領域２：区分領域３：区分領域４＝４：３：２：１、の場合であっても、区分領域１の新たな割り当て容量は使用比率に関係なく上限の７０（＝５０＋２０）ＧＢとし、区分領４の新たな割り当て容量も使用比率に関係なく上限の３０（＝５０−２０）ＧＢとする。これにより、各ユーザに割り当てられる区分領域の容量が極端に変更されてしまうことを防止することが可能となる。
【００６５】
なお、本実施形態では、上記したように、区分された複数の区分領域の一つの区分領域は、パスワードの入力なしに記録、再生及び消去が可能な共通区分領域に設定されている。制御部１は、ハードディスクへの情報の記録時、パスワードの入力なしにリモコン１５から記録実行指示を入力した場合には、この共通区分領域に情報を記録する。このように、家族全員が視聴したい情報を共通区分領域に記録することで、個々のユーザは、自分の視聴したいタイミングで記録されている情報を視聴することが可能となる。
【図面の簡単な説明】
【００６６】
【図１】本発明の情報記録再生装置の一実施形態であるハードディスクドライブ（ＨＤＤ）内蔵型ＤＶＤレコーダの電気的構成を示すブロック図である。
【図２】リモコンのキー配置の構造を示す説明図である。
【図３】ハードディスクに情報を記録する場合の基本的な処理の手順を示すフローチャートである。
【図４】ハードディスクに情報を記録する場合の基本的な処理の手順を説明するためのテレビの表示画面例を示す説明図である。
【図５】容量変更の具体例１を示す説明図である。
【図６】容量変更の具体例２を示す説明図である。
【符号の説明】
【００６７】
１  制御部
１ａ  ＣＰＵ
１ｂ  メモリ部
１ｃ  カウンタ
２  アンテナ
３  チューナ
４  信号処理部
５  ディスク読書部
６  リモコン受信部
７  表示部
８  操作部
９  ハードディスクドライブ（ＨＤＤ）
１５  リモコン
２０  ＤＶＤ
３０  テレビ
１１１  電源キー
１１２  テンキー
１１３  ダビングキー
１１４  録画キー
１１５  上下左右キー
１１６  決定キー
【図１】
2008282440.tif 000003
【図２】
2008282440.tif 000004
【図３】
2008282440.tif 000005
【図４】
2008282440.tif 000006
【図５】
2008282440.tif 000007
【図６】
2008282440.tif 000008